(57)【要約】歯列矯正装置のための歯列矯正ブラケットは、歯に取り付けられる後方基部と、後方基部から延び出る第１部分及び第２部分を有する。第１部分と第２部分は離間しており、アーチワイヤーを設置するスロット部を提供する。第１部分と第２部分はアーチワイヤーを受領するための開口部を備えた前方面を提供する。第１部分と第２部分の少なくとも一方はアーチワイヤーへの圧力を調節する調節可能な締付要素を含む。歯列矯正ブラケット装置は、患者の歯に取り付けられる複数のブラケットと、隣接するブラケット対間に取り付けられる少なくとも一つのブラケット連結構造体とを含む。ブラケット連結構造体の長さは可変であり、隣接ブラケット間の距離を対応的に変更させる。【選択図】図８
2013520249.tif 000002
【特許請求の範囲】
【請求項１】
歯列矯正装置のための歯列矯正ブラケットであって、
歯に取り付けられる後方基部と、
該後方基部から延び出ていると共に互いに離間した第１部分および第２部分であって、これらの間でその中にアーチワイヤーを配置するスロット部と、該アーチワイヤーを前記スロット内に受領させる前方開口部とを形成しており、前記第１部分と第２部分の少なくとも一方は前記アーチワイヤーとの係合のための調節可能な締付要素を含んでいる、第１部分および第２部分と、を備え、
前記締付要素は前記スロット部内の前記アーチワイヤーに対する引張力を増加または減少させることを特徴とする歯列矯正ブラケット。
【請求項２】
前記第１部分と第２部分は前方面を提供しており、該前方面は前記前方開口部を含んでいることを特徴とする請求項１記載の歯列矯正ブラケット。
【請求項３】
側部をさらに含んでいることを特徴とする請求項１または２記載の歯列矯正ブラケット。
【請求項４】
前記側部はブラケット連結構造体を本歯列矯正ブラケットに取り付ける際に利用されることを特徴とする請求項３記載の歯列矯正ブラケット。
【請求項５】
前記側部は前記スロット部に通じるそれぞれの側部開口部を含んでおり、前記アーチワイヤーが前記スロット部に設置されたときに、該アーチワイヤーを前記側部開口部から外側に延び出させることを特徴とする請求項３記載の歯列矯正ブラケット。
【請求項６】
前記第１部分および前記第２部分と前記後方基部はブラケットの内側面を提供しており、該ブラケット内側面は、それぞれの側部の近辺に内側スロット部を含んでいることを特徴とする請求項３から５のいずれか一項に記載の歯列矯正ブラケット。
【請求項７】
前記内側面はＣ形状壁部を含んでおり、それぞれの前記内側スロット部は該Ｃ形状壁部に沿って形成されていることを特徴とする請求項６記載の歯列矯正ブラケット。
【請求項８】
前記内側スロット部はブラケット連結構造体を本歯列矯正ブラケットに取り付ける際に利用されることを特徴とする請求項６または７記載の歯列矯正ブラケット。
【請求項９】
前記内側スロット部は挿入体を受領するように利用されることを特徴とする請求項６から８のいずれか一項に記載の歯列矯正ブラケット。
【請求項１０】
前記挿入体は前記開口部の大きさを変更するように利用されることを特徴とする請求項９記載の歯列矯正ブラケット。
【請求項１１】
前記スロット部は内部に挿入体を受領することを特徴とする請求項１から１０のいずれか一項に記載の歯列矯正ブラケット。
【請求項１２】
前記第１部分と第２部分の少なくとも一方は前方開口部を含んでおり、前記後方基部は該前方開口部と連続的である後方開口部を含んでおり、前記後方基部と歯との間に前記前方開口部から接着剤を注入させることを特徴とする請求項１から１１のいずれか一項に記載の歯列矯正ブラケット。
【請求項１３】
前記後方基部は後方面を含んでおり、該後方面は内側に窪んでいることを特徴とする請求項１から１２のいずれか一項に記載の歯列矯正ブラケット。
【請求項１４】
前記調節可能な締付要素はセットスクリューを含んでいることを特徴とする請求項１から１３のいずれか一項に記載の歯列矯正ブラケット。
【請求項１５】
前記第１部分と第２部分の一方は、前記セットスクリューを受領するために前記スロット部内に通じる穴部を含んでいることを特徴とする請求項１４記載の歯列矯正ブラケット。
【請求項１６】
前記第１部分と第２部分のそれぞれは端部表面を含んでおり、前記調節可能な締付要素は調節可能な制御のために前記端部表面の一つから突起することを特徴とする請求項１から１５のいずれか一項に記載の歯列矯正ブラケット。
【請求項１７】
前記第１部分と第２部分の両方は前記アーチワイヤーと係合するために調節可能な締付要素を含んでいることを特徴とする請求項１から１６のいずれか一項に記載の歯列矯正ブラケット。
【請求項１８】
前記第１部分は上方部分を含み、前記第２部分は下方部分を含んでいることを特徴とする請求項１から１７のいずれか一項に記載の歯列矯正ブラケット。
【請求項１９】
前記第１部分は下方部分を含み、前記第２部分は上方部分を含んでいることを特徴とする請求項１から１７のいずれか一項に記載の歯列矯正ブラケット。
【請求項２０】
前記上方部分は上方部分開口部を含んでおり、前記後方基部は該上方部分開口部と連続的である上方後方開口部を含んでおり、前記後方基部と歯との間に前記上方開口部から接着剤を注入させることを特徴とする請求項１８または１９記載の歯列矯正ブラケット。
【請求項２１】
前記下方部分は下方部分開口部を含んでおり、前記後方基部は該下方部分開口部と連続的である下方後方開口部を含んでおり、前記後方基部と歯との間に前記下方開口部から接着剤を注入させることを特徴とする請求項１８または１９記載の歯列矯正ブラケット。
【請求項２２】
歯列矯正装置のための歯列矯正ブラケットであって、
歯に取り付けるための後方面を提供する後方基部と、
該後方基部から延び出ている第１部分および第２部分であって、これらの間でアーチワイヤーをその中に配置するスロット部を提供し、前記後方面に形成されている後方開口部と連続的である少なくとも一つの開口部を有した前方面を提供する、第１部分および第２部分と、を備え、
前記少なくとも一つの開口部に接着剤を注入することで、前記後方基部と歯との間に前記後方開口部を介して接着剤を注入させることを特徴とする歯列矯正ブラケット。
【請求項２３】
前記第１部分と前記第２部分は互いに離間しており、両者間に前記スロット部を形成していることを特徴とする請求項２２記載の歯列矯正ブラケット。
【請求項２４】
前記前方面は前記アーチワイヤーを前記スロット部に受領させるための前方開口部をさらに含んでいることを特徴とする請求項２２または２３記載の歯列矯正ブラケット。
【請求項２５】
前記第１部分と前記第２部分の少なくとも一方は、前記スロット部に前記アーチワイヤーを係合させるために調節可能な締付要素を含んでいることを特徴とする請求項２２から２４のいずれか一項に記載の歯列矯正ブラケット。
【請求項２６】
側部をさらに含んでおり、該側部は前記スロット部に通じるそれぞれの側部開口部を含んでおり、前記アーチワイヤーが前記スロット部に設置されたときに、該アーチワイヤーを前記側部開口部から外側に延び出させることを特徴とする請求項２３から２５のいずれか一項に記載の歯列矯正ブラケット。
【請求項２７】
前記側部はブラケット連結構造体を本歯列矯正ブラケットに取り付ける際に利用されることを特徴とする請求項２５記載の歯列矯正ブラケット。
【請求項２８】
前記側部は挿入体を受領する際に利用されることを特徴とする請求項２６又は２７記載の歯列矯正ブラケット。
【請求項２９】
前記挿入体は前記側部開口部の大きさを変更するように利用されることを特徴とする請求項２８記載の歯列矯正ブラケット。
【請求項３０】
前記スロット部は挿入体を受領することを特徴とする請求項２３から２９のいずれか一項に記載の歯列矯正ブラケット。
【請求項３１】
前記後方基部は後方面を含んでおり、該後方面は内側に窪んでいることを特徴とする請求項２２から３０のいずれか一項に記載の歯列矯正ブラケット。
【請求項３２】
前記調節可能な締付要素はセットスクリューを含んでいることを特徴とする請求項１から３１のいずれか一項に記載の歯列矯正ブラケット。
【請求項３３】
前記第１部分と第２部分の一方は、前記セットスクリューを受領するために前記スロット部内に通じる穴部を含んでいることを特徴とする請求項３２記載の歯列矯正ブラケット。
【請求項３４】
前記第１部分と第２部分のそれぞれは端部表面を含んでおり、前記調節可能な締付要素は、調節可能な制御のために前記端部表面の一つから突起することを特徴とする請求項２５から３３のいずれか一項に記載の歯列矯正ブラケット。
【請求項３５】
前記第１部分と第２部分の両方は、前記アーチワイヤーと係合するために調節可能な締付要素を含んでいることを特徴とする請求項２３から３４のいずれか一項に記載の歯列矯正ブラケット。
【請求項３６】
前記第１部分は上方部分を含み、前記第２部分は下方部分を含んでいることを特徴とする請求項２２から３５のいずれか一項に記載の歯列矯正ブラケット。
【請求項３７】
前記第１部分は下方部分を含み、前記第２部分は上方部分を含んでいることを特徴とする請求項２２から３５のいずれか一項に記載の歯列矯正ブラケット。
【請求項３８】
前記上方部分は前記開口部を含んでいることを特徴とする請求項３６または３８記載の歯列矯正ブラケット。
【請求項３９】
前記下方部分は前記開口部を含んでいることを特徴とする請求項３６または３８記載の歯列矯正ブラケット。
【請求項４０】
歯列矯正装置のための歯列矯正ブラケットであって、
歯に取り付けるための後方基部と、
該後方基部から延び出ていると共に互いに離間している第１部分および第２部分であって、これらの間でアーチワイヤーをその中に配置するスロット部を提供し、前記アーチワイヤーを前記スロット部に受領させるように前方開口部を形成している、第１部分および第２部分と、を備えることを特徴とする歯列矯正ブラケット。
【請求項４１】
前記スロット部と連続的である開口部を含んだ側部をさらに含んでおり、前記アーチワイヤーを延伸させることを特徴とする請求項４０記載の歯列矯正ブラケット。
【請求項４２】
幅を減少させるために前記側部開口部に取り付け可能な挿入体をさらに含んでいることを特徴とする請求項４１記載の歯列矯正ブラケット。
【請求項４３】
歯列矯正ブラケット装置であって、
患者の歯に取り付けられる複数のブラケットと、
隣接する前記ブラケットの対に取り付けられ、該ブラケット間に設置される少なくとも一つのブラケット連結構造体と、を備え、
前記ブラケット連結構造体の長さは、前記隣接するブラケットの対の間の距離を対応的に変更するように調節可能であることを特徴とする歯列矯正ブラケット装置。
【請求項４４】
前記ブラケット連結構造体は一対の別々となった連結要素を含んでいることを特徴とする請求項４３記載の歯列矯正ブラケット装置。
【請求項４５】
前記別々の連結要素はそれぞれ、前記ブラケットの対の一方に取り付けるための取付要素を含んでいることを特徴とする請求項４４記載の歯列矯正ブラケット装置。
【請求項４６】
前記ブラケットは前記取付要素を受領するように設計された側部を含んでいることを特徴とする請求項４５記載の歯列矯正ブラケット装置。
【請求項４７】
前記側部は前記取付要素を受領させるための開口部をそれぞれ含んでいることを特徴とする請求項４６記載の歯列矯正ブラケット装置。
【請求項４８】
前記側部は、前記取付要素を受領するスロット部をそれぞれ含んでいることを特徴とする請求項４７記載の歯列矯正ブラケット装置。
【請求項４９】
前記取付要素の一方は、前記ブラケットに取り付けられると該ブラケットに対して可動であり、他方の前記取付要素は前記ブラケットに取り付けられると該ブラケットに対して不動であることを特徴とする請求項４５から４８のいずれか一項に記載の歯列矯正ブラケット装置。
【請求項５０】
前記可動な取付要素の移動によって前記ブラケット連結構造体の長さが変更されることを特徴とする請求項４９記載の歯列矯正ブラケット装置。
【請求項５１】
前記可動な取付要素は、自身の移動を制御するために係合要素を含んでいることを特徴とする請求項４９または５０に記載の歯列矯正ブラケット装置。
【請求項５２】
前記可動な取付要素の移動は回転移動を含んでいることを特徴とする請求項５１記載の歯列矯正ブラケット装置。
【請求項５３】
前記ブラケット連結構造体は二つのコイルを含んでおり、それぞれのコイルは前記隣接ブラケットの片方にそれぞれ固定されていることを特徴とする請求項４３から５２のいずれか一項に記載の歯列矯正ブラケット装置。
【請求項５４】
前記両コイルは重なり合っていることを特徴とする請求項５３記載の歯列矯正ブラケット装置。
【請求項５５】
第１の方向での一方の前記コイルの動きは、該コイルの他方の前記コイル内への動きとなり、前記ブラケット連結構造体の長さを減少させ、第２の方向での前記一方のコイルの動きは、該コイルの前記他方のコイルからの外側への動きとなり、前記ブラケット連結構造体の長さを増加させることを特徴とする請求項５４記載の歯列矯正ブラケット装置。
【請求項５６】
前記一方のコイルの動きは回転であることを特徴とする請求項５５記載の歯列矯正ブラケット装置。
【請求項５７】
前記ブラケットに取り付けられるアーチワイヤーをさらに含んでいることを特徴とする請求項４３から５６のいずれか一項に記載の歯列矯正ブラケット装置。
【請求項５８】
前記アーチワイヤーは前記ブラケット連結構造体を通過して設置されていることを特徴とする請求項５７記載の歯列矯正ブラケット装置。
【請求項５９】
前記ブラケットはそれぞれのスロット部とそれぞれの開口した側部とを含んでおり、前記アーチワイヤーは該スロット部と該開口した側部とを通過して設置されていることを特徴とする請求項５７または５８に記載の歯列矯正ブラケット装置。
【請求項６０】
前記ブラケットのそれぞれは、アーチワイヤーを受領させるために開口した前方面を含んでいることを特徴とする請求項４３から５９のいずれか一項に記載の歯列矯正ブラケット装置。
【請求項６１】
追加のアーチワイヤーをさらに含んでいることを特徴とする請求項５８から６０のいずれか一項に記載の歯列矯正ブラケット装置。
【請求項６２】
前記追加のアーチワイヤーは前記ブラケット連結構造体の前方に設置されていることを特徴とする請求項６１記載の歯列矯正ブラケット装置。
【請求項６３】
前記アーチワイヤーは前記ブラケット連結構造体の前方に設置されていることを特徴とする請求項５７記載の歯列矯正ブラケット装置。
【請求項６４】
歯列矯正ブラケット装置であって、
患者の歯に取り付けられる複数のブラケットと、
フレキシブルな弾性要素を含み、隣接する前記ブラケットの対に取り付けられ、該ブラケット間に設置される少なくとも一つのブラケット連結構造体と、を備え、
前記弾性要素は、前記隣接するブラケットの対の間の距離を対応的に変更するように圧縮または延伸が可能であることを特徴とする歯列矯正ブラケット装置。
【請求項６５】
前記ブラケット連結構造体は、フレキシブルな前記弾性要素のそれぞれの端部に一対の取付要素を含んでおり、該取付要素はそれぞれ前記ブラケットの一方に取り付けられていることを特徴とする請求項６４記載の歯列矯正ブラケット装置。
【請求項６６】
前記ブラケットは前記取付要素を受領するように設計された側部を含んでいることを特徴とする請求項６５記載の歯列矯正ブラケット装置。
【請求項６７】
前記側部は前記取付要素を受領するための開口部をそれぞれに含んでいることを特徴とする請求項６６記載の歯列矯正ブラケット装置。
【請求項６８】
前記側部は前記取付要素を受領するためのスロット部をそれぞれに含んでいることを特徴とする請求項６７記載の歯列矯正ブラケット装置。
【請求項６９】
前記ブラケットに取り付けられると前記取付要素の一方は該ブラケットに対して可動であり、前記ブラケットに取り付けられると前記取付要素の他方は該ブラケットに対して不動であることを特徴とする請求項６５から６８のいずれか一項に記載の歯列矯正ブラケット装置。
【請求項７０】
可動に取り付けられた前記取付要素の移動によって、フレキシブルな前記弾性要素は延伸あるいは収縮することを特徴とする請求項６９記載の歯列矯正ブラケット装置。
【請求項７１】
可動に取り付けられた前記取付要素は、自身の動きを制御するために係合要素を含んでいることを特徴とする請求項６９または７０記載の歯列矯正ブラケット装置。
【請求項７２】
可動に取り付けられた前記取付要素の移動は回転移動を含んでいることを特徴とする請求項７１記載の歯列矯正ブラケット装置。
【請求項７３】
フレキシブルな前記弾性要素は、隣接する前記ブラケットのそれぞれに固定されているコイルを含んでいることを特徴とする請求項４３から７２のいずれか一項に記載の歯列矯正ブラケット装置。
【請求項７４】
第１の方向における前記コイルの動きで該コイルは圧縮され、第２の方向における前記コイルの動きで該コイル延伸することを特徴とする請求項７３記載の歯列矯正ブラケット装置。
【請求項７５】
前記一つのコイルの動きは回転であることを特徴とする請求項７４記載の歯列矯正ブラケット装置。
【請求項７６】
前記ブラケットに取り付けられたアーチワイヤーをさらに含んでいることを特徴とする請求項６４から７５のいずれか一項に記載の歯列矯正ブラケット装置。
【請求項７７】
前記アーチワイヤーは前記ブラケット連結構造体を通過して設置されていることを特徴とする請求項７５記載の歯列矯正ブラケット装置。
【請求項７８】
前記ブラケットはそれぞれスロット部と開口した側部とを含んでおり、前記アーチワイヤーは該スロット部と該開口した側部とを通過して配置されていることを特徴とする請求項７６または７７記載の歯列矯正ブラケット装置。
【請求項７９】
前記ブラケットはそれぞれアーチワイヤーを受領するために開口した前方面を含んでいることを特徴とする請求項６４から７８のいずれか一項に記載の歯列矯正ブラケット装置。
【請求項８０】
追加のアーチワイヤーをさらに含んでいることを特徴とする請求項７６又は７７記載の歯列矯正ブラケット装置。
【請求項８１】
追加された前記アーチワイヤーは前記ブラケット連結構造体の前方に設置されていることを特徴とする請求項８０記載の歯列矯正ブラケット装置。
【請求項８２】
追加された前記アーチワイヤーは前記ブラケット連結構造体の前方に設置されていることを特徴とする請求項７６記載の歯列矯正ブラケット装置。
【請求項８３】
フレキシブルな前記弾性要素は管状要素を含んでいることを特徴とする請求項６４記載の歯列矯正ブラケット装置。
【請求項８４】
歯列矯正ブラケット装置であって、
患者の歯に取り付けられる後方基部と、
該後方基部から延び出て射ると共に互いに離間した第１部分および第２部分であって、これらの間にスロット部を形成し、該スロット部に通じる前方開口部を提供する、第１部分および第２部分と、
前記前方開口部を介して前記スロット部内に配置される窪部分を含んだアーチワイヤーと、を備えることを特徴とする歯列矯正ブラケット装置。
【請求項８５】
前記アーチワイヤーは、窪部分と交互に配置された外出部分を含んでおり、該外出部分は、ユーザの歯に取り付けられたときに歯の外側アーケードに沿うことを特徴とする請求項８４記載の歯列矯正ブラケット装置。
【請求項８６】
前記ブラケットは、前記アーチワイヤーを延び出させるための開口部を含んだ側部をさらに含んでいることを特徴とする請求項８４または８５記載の歯列矯正ブラケット装置。
【請求項８７】
前記ブラケットに選択的に挿入される少なくとも一つの挿入体をさらに含んでおり、前記側部の開口部の幅を減少させていることを特徴とする請求項６６記載の歯列矯正ブラケット装置。
【請求項８８】
請求項１から４２のいずれか一項に記載の歯列矯正ブラケットを含んだ歯列矯正キット。
【請求項８９】
請求項４３から８７のいずれか一項に記載の歯列矯正ブラケット装置を含んだ歯列矯正キット。
【請求項９０】
請求項１から４２のいずれか一項に記載の歯列矯正ブラケットを製造する方法。
【請求項９１】
請求項４３から８７のいずれか一項に記載の歯列矯正ブラケット装置を製造する方法。
【請求項９２】
請求項４３から８７のいずれか一項に記載の歯列矯正ブラケット装置を、人間の患者の歯に適用することで人間の患者の歯の噛み合わせを治療する方法。
【発明の詳細な説明】
【技術分野】
【０００１】
（関連出願）
本願は、２０１０年２月２５日に出願された米国仮特許願第６０／３０８２２６号の優先権を主張する。
【０００２】
本発明は歯列矯正ブラケットに関する。特には、限定はしないが、前方開口部を備えたブラケットと、ブラケット連結機構（構造体）を備えた歯列矯正ブラケット装置とに関する。
【背景技術】
【０００３】
歯列矯正ブラケットおよび歯列矯正ブラケット装置は、歯列を整合状態に矯正し、患者の噛み合わせを矯正すべく歯を適性位置に配置させる目的で、歯列矯正産業において使用される装置である。それらはしばしば上下歯の相対的不整合および不正咬合、交叉咬合、開咬合、過蓋咬合、湾曲歯並びに他の様々な歯および顎の位置的欠陥を矯正する目的で使用される。これら装置は、歯の表面に固定される基部をそれぞれに有した複数のブラケットと、これらブラケットに取り付けられ、ブラケットに圧力をかけるアーチワイヤーとを含んでいる。このアーチワイヤーはセットスクリューで歯に係留でき、アーチワイヤーにかけられる引張力を高めたり緩めたりするために定期的に調整される。
【０００４】
アーチワイヤーがブラケットに圧力を加えると歯に圧力が伝わって歯が動く。その結果、歯周粘膜が一方側で拡張し、他方側で縮小し、歯を緩め、新しい骨の成長を促し、新位置で歯を支持する。この動きは緩慢に行われ、顎から歯を完全には引き離しはしない。よって、そのような歯列矯正治療は定期的な調整を伴って長期に亘り行われる。それぞれの歯は歯列矯正中には月に約１ミリ程度移動するが、個人差が大きい。歯列矯正は効果において多様であり、歯列矯正治療に対する多様な経過レスポンスが生じる。
【０００５】
従って、さらに効率的な治療のため、改良されたブラケットおよび歯列矯正装置に対する需要が存在する。
【発明の概要】
【発明が解決しようとする課題】
【０００６】
本発明の一目的は歯列矯正ブラケットを提供することである。
【０００７】
本発明の別な一目的は歯列矯正ブラケット装置を提供することである。
【課題を解決するための手段】
【０００８】
本発明の特徴を以下で説明する。
【０００９】
本発明の特徴に従えば、歯列矯正装置のための歯列矯正ブラケットが提供される。
【００１０】
この歯列矯正ブラケットは、歯に取り付けられる後方基部を含む。
【００１１】
さらに、この後方基部から延び、離間しており、アーチワイヤーを設置するために両者間にスロット部を提供し、そのアーチワイヤーをそのスロット部内に受領させるための前方開口部を提供する第１部分と第２部分とを含む。それら第１部分と第２部分の少なくとも一方は、アーチワイヤーと係合する調節可能な締付要素を含んでいる。
【００１２】
この締付要素はスロット部内のアーチワイヤーに対する引張力を増加または減少させる。
【００１３】
本発明の特徴に従って、歯列矯正装置のための歯列矯正ブラケットが提供される。
【００１４】
この歯列矯正ブラケットは、歯に取り付けられる後方面を提供する後方基部を含む。
【００１５】
さらに、この後方基部から延び出し、アーチワイヤーを内部に設置させるスロット部を中間に提供し、後方面に形成されている後方開口部と連続的である少なくとも一つの開口部を有した前方開口部を提供する第１部分および第２部分が含まれる。
【００１６】
その少なくとも一つの開口部内に接着物質を注入することで、後方基部と歯との間に後方開口部を介して接着物質が注入される。
【００１７】
一実施態様においては、第１部分と第２部分とは離間しており、両者間にスロット部が提供される。別実施態様では、前方面はアーチワイヤーをスロット部内に受領するための前方開口部をさらに含む。
【００１８】
本発明の一特徴に従って、歯列矯正装置のための歯列矯正ブラケットが提供される。
【００１９】
この歯列矯正ブラケットは歯に取り付けられる後方基部を含む。
【００２０】
さらに、その後方基部から延び出し、離間しており、両者間にアーチワイヤーを設置させるためのスロット部を提供し、アーチワイヤーをそのスロット部内に受領させるための前方開口部を提供する第１部分と第２部分とを含む。
【００２１】
一実施態様では、そのブラケットは、スロット部と連続し、アーチワイヤーをスロット部に通過させるための開口部をそれぞれ含んだ側部をさらに含んでいる。一実施態様では、開口部の幅を狭めるために挿入体がそれら側部の開口部に取り付け可能である。
【００２２】
本発明の別特徴に従って、歯列矯正ブラケット装置が提供される。
【００２３】
この歯列矯正ブラケット装置は、患者の歯に取り付けられる複数のブラケットを含んでいる。
【００２４】
さらに、一対の隣接ブラケットに取り付けられ、両者間に挟まれた少なくとも一つのブラケット連結構造体を含む。
【００２５】
その一対の隣接ブラケット間の距離を対応させて調節できるよう、ブラケット連結構造体の長さは調節可能である。
【００２６】
一実施態様においては、ブラケット連結構造体は対となった別々な連結要素を含んでいる。一実施態様では、それぞれの別々な連結要素は、一対のブラケットの一方に取り付けられるようになっている取付要素をそれぞれ含む。一実施態様では、ブラケットは取付要素を受領するようになっている側部を含む。一実施態様では、ブラケットに取り付けられた取付部材の一方の動きはブラケット連結構造体の長さを調節させる。一実施例では、ブラケット連結構造体は、その一対の隣接ブラケットのそれぞれに固定される一対のコイルを含む。一実施態様では、それらコイルは相互に重なっている。一実施態様では、第１の方向における一方のコイルの動きは、そのコイルを他方のコイル内に移動させてブラケット連結構造体の長さを減少させ、第２の方向におけるそのコイルの移動は、他方のコイルの外側へそのコイルを移動させ、ブラケット連結構造体の長さを増加させる。
【００２７】
本発明に従って、歯列矯正ブラケット装置が提供される。
【００２８】
この歯列矯正ブラケット装置は、患者の歯に取り付けられる複数のブラケットを含む。
【００２９】
さらに、一対の隣接ブラケットに取り付けられ、両者間に挟まれているフレキシブルな弾性（形状復元）要素を含んだ少なくとも一つのブラケット連結構造体が含まれる。
【００３０】
この弾性要素は、その隣接ブラケット対間の距離を対応的に調節させるように収縮および延伸が可能である。
【００３１】
一実施態様では、このフレキシブルな弾性部材（要素）は、隣接ブラケット対のそれぞれに固定されるコイルを含む。一実施態様では、第１の方向におけるコイルの動作で弾性部材が収縮されてコイルを収縮し、第２の方向におけるコイルの動作でコイルを延伸する。
【００３２】
本発明の一特徴に従えば、歯列矯正ブラケット装置が提供される。
【００３３】
この歯列矯正ブラケット装置は、歯に取り付けられる後方基部を含む。
【００３４】
さらに、後方基部から延び出し、離間しており、両者間にスロット部を提供し、そのスロット部に導く前方開口部を備えた第１部分および第２部分を含んでいる。
【００３５】
さらに、その前方開口部を介してスロット部内に設置させる、窪部分を含んだアーチワイヤーを含んでいる。
【００３６】
一実施態様では、このアーチワイヤーは、長手方向に沿って窪部分と交互に提供されている外出部分を含んでいる。それら外出部分はユーザの歯に取り付けられると歯の外側アーケード（膨出形状部）に沿うように設計されている。一実施態様では、ブラケットはさらに、アーチワイヤーをそこから延出させる開口部を含んだ側部を含む。一実施態様では、少なくとも一つの挿入体が所与のブラケットに挿入されるように提供され、これら側部の開口部の幅を狭くしている。
【００３７】
本発明の特徴に従って、ここで開示するブラケットのいずれかを含んだキットが提供される。
【００３８】
本発明の特徴に従って、ここで開示する歯列矯正ブラケット装置のいずれかを含んだキットが提供される。
【００３９】
本発明の特徴に従って、ここで開示する歯列矯正ブラケット装置を人間の患者の歯に適用することで人間の患者の歯の噛み合わせを治療する方法が提供される。
【００４０】
本発明の他の目的、他の利点および他の特徴は、添付図面に関して例示としてのみ説明されている以下の非限定的な実施例の非限定的な説明を読むことでさらに明確になるであろう。
【００４１】
添付の図面を通じて、同一数字は同一要素を表す。
【図面の簡単な説明】
【００４２】
【図１】図１は、本発明の非限定的な実施例による歯列矯正ブラケットの左上方斜視図である。
【図１Ａ】図１Ａは図１の拡大図である。
【図２】図２は図１の歯列矯正ブラケットの右斜視図である。
【図２Ａ】図２Ａは図２の拡大図である。
【図３】図３は図１の歯列矯正ブラケットの側面図である。
【図４】図４は図１の歯列矯正ブラケットの正面図である。
【図５】図５は、本発明の非限定的な実施例によるブラケット連結装置の一対のコイルに取り付けられた図１の歯列矯正ブラケットの右斜視図である。
【図５Ａ】図５Ａは、図１の歯列矯正ブラケットのセットスクリューの正面図である。
【図６】図６は、図５のブラケット連結構造体の静止コイルの後方斜視図である。
【図７】図７は、図５のブラケット連結構造体の可動コイルの後方斜視図である。
【図８】図８は、歯列矯正ブラケット装置を提供している、図５で示すブラケット連結構造体を備え、連結状態にある一対の図１で示す歯列矯正ブラケットの正面図である。
【図８Ａ】図８Ａは、本発明の別な非限定的実施例による歯列矯正ブラケット装置の正面図である。
【図９】図９は、本発明の非限定的実施例によるロック用の挿入体を備えた図１の歯列矯正ブラケットの左上方斜視図である。
【図１０】図１０は、本発明の別な非限定的実施例による患者の歯に取り付けられた歯列矯正ブラケットおよび歯列矯正ブラケット連結構造体を含んだ歯列矯正ブラケット装置の右斜視図である。
【図１１】図１１は図１０の歯列矯正ブラケット装置の前方斜視図である。
【図１２】図１２、図１４、図１５および図１６は、歯に取り付けられた本発明の非限定的な実施例による歯列矯正ブラケットのそれぞれの側面図である。
【図１３】図１３は、歯に取り付けられた状態にある、図１２で示す複数のブラケットと、本発明のさらに別である非限定的な実施例によるブラケット連結機構（構造体）とを含んだ歯列矯正ブラケット装置の右斜視図である。
【図１４】図１２、図１４、図１５および図１６は、歯に取り付けられた本発明の非限定的な実施例による歯列矯正ブラケットのそれぞれの側面図である。
【図１５】図１２、図１４、図１５および図１６は、歯に取り付けられた本発明の非限定的な実施例による歯列矯正ブラケットのそれぞれの側面図である。
【図１７】図１７は、本発明のさらに別である非限定的な実施例による、取り付けられたアーチワイヤーを備えた複数のブラケットを含んだ歯列矯正ブラケット装置の上方斜視図である。
【図１７Ａ】図１７Ａは図１７の一部の拡大図である。
【図１８】図１８は図１７のＡ−Ａ線に沿った断面図である。
【図１９】図１９は図１７のＢ−Ｂ線に沿った断面図である。
【図２０】図２０は、本発明の非限定的な実施例において、図１７の歯列矯正ブラケット装置で使用されるアーチワイヤーの平面図である。
【図２１】図２１と図２２は、本発明の非限定的な実施例において、図１７の歯列矯正ブラケット装置で使用されるブラケットのためのブラケット挿入体のそれぞれ上方斜視図と下方斜視図である。
【図２２】図２１と図２２は、本発明の非限定的な実施例において、図１７の歯列矯正ブラケット装置で使用されるブラケットのためのブラケット挿入体のそれぞれ上方斜視図と下方斜視図である。
【図２３】図２３は、本発明の非限定的な別実施例による歯列矯正ブラケットの前方斜視図である。
【図２４】図２４は図２３の歯列矯正ブラケットの後方斜視図である。
【図２５】図２５は図２３の歯列矯正ブラケットの平面図である。
【図２６】図２６は、本発明のさらに別である非限定的な実施例による、歯列矯正ブラケットと、患者の歯に取り付けられた歯列矯正ブラケット連結構造体とを含んだ歯列矯正ブラケット装置の左斜視図である。
【発明を実施するための形態】
【００４３】
一般的に、本発明の非限定的な実施例では、本発明は歯列矯正ブラケット装置のための歯列矯正ブラケットを提供する。このブラケットは、歯に取り付けられる後方基部と、その後方基部から延び出し、離間しており、両者間にスロット部を提供し、前方開口部を形成している第１部分および第２部分を含む。このスロット部はアーチワイヤーを内部に設置させ、その前方開口部はスロット部内にアーチワイヤーを受領させる。
【００４４】
一実施例では、第１部分と第２部分の少なくとも一方は、アーチワイヤーに係合する調節可能な締付要素を含む。締付要素の調節は、スロット部内のアーチワイヤーに対する引張力を増加あるいは減少させて行う。
【００４５】
別実施例では、ブラケットの側部は開口しており、アーチワイヤーを通過させ、挿入体は側部の開口部の幅を狭くすることができる。
【００４６】
一般的に、本発明の非限定的な実施例では、本発明は、歯に取り付けられる後方面を備えた後方基部と、そこから延び出る第１部分および第２部分とを含んだ歯列矯正器（装置）のための歯列矯正ブラケットが提供される。これら第１部分と第２部分は両者間にスロット部を形成しており、アーチワイヤーをその内部に設置し、後方面に形成された後方開口部と連続的である少なくとも一つの開口部を備えた前方面を有している。その少なくとも一つの開口部内に接着剤を注入すると、その接着剤は後方開口部を介して、後方基部と歯との間に注入される。本発明のさらに別な非限定的実施例では、本発明は、歯に取り付けられる後方基部と、その後方基部から延び出し、離間しており、両者間にスロット部を形成する第１部分および第２部分を含んだ歯列矯正ブラケット装置のための歯列矯正ブラケットを提供する。このスロット部はアーチワイヤーを内部に設置させる。離間した第１部分と第２部分は、スロット部内にアーチワイヤーを受領させるための前方開口部を提供している。
【００４７】
一般的に、本発明の非限定的な実施例では、本発明は、ブラケット連結機構（構造体）を取り付けた複数のブラケットを含んだ歯列矯正ブラケットを提供する。このブラケット連結機構は、対となった隣接ブラケット間に配置される複数のブラケット連結構造体で成る。ブラケット連結構造体は重なって提供された一対のコイルを含む。これらコイルはそれぞれ自由端と、取付要素を備えた反対側端部とを含む。一方のコイルの取付要素は一つのブラケットに取り付けられ、他方のコイルの取付要素は別な隣接要素に取り付けられる。一方の取付要素は可動であり、他方の取付要素は固定されている。可動取付要素を回すと、そこに取り付けられたコイルが回り、他方のコイルに対して内側または外側に移動し、隣接ブラケットを接近方向に引っ張るか、離れる方向に押す。別実施例では、このブラケット連結構造体は、隣接ブラケットに固定され、それらの間に挟まれた一つのフレキシブルな弾性（形状復元）部材を含む。この部材は押圧されると収縮し、引っ張られると延伸することで、対応してブラケット間の距離を変更する捩力を発揮する。
【００４８】
一般的に、本発明の非限定的な実施例では、本発明は、窪部分、または外出部分と窪部分を交互に含んだアーチワイヤーを受領するスロット部に通じる前方開口部を備えた歯列矯正ブラケット装置を提供する。この外出部分は歯に取り付けられると歯の前方アーケードの形状に沿って延びる。
【００４９】
添付図面に関して、本発明の実施例は本発明を例示するために解説されるが、それらは本発明を一切限定するものではない。
【００５０】
図１から図４は、後方面１２を提供する後方基部１１と、その後方基部１１から前方にそれぞれ延び出る第１部分１３および第２部分１５と、壁部を形成している前方面１４および側部１６、１８とを備えたブラケット１０を図示する。この“第１”および“第２”とは図面の明確化を目的としてのみ使用されており、相互に互換性である。この実施例では第１部分１３と第２部分１５は上方部分および下方部分である。いずれにしろ、図１０から図１７Ａで示す実施例では、第２部分１５は上方部分であり、第１部分１３は下方部分である。これは、ブラケット１０の垂直配置の状態によって決定される事柄である。上顎の歯に取り付けられるとブラケット１０はたいてい、図１０から図１７Ａで示すように第１部分を下方に向け、下顎の歯に取り付けられると、この第１部分１３は上方部分になる。この配置方法は便利である。なぜなら歯列矯正医は調節可能な締付要素への向上したアクセスを有するからである。このことは以下で説明されている。従って、ブラケット１０およびその部材に関してここで使用される“上方”および“下方”は本発明の説明を明確化させるためであり、オプション的に２つの垂直位置（上下）が存在するため、これら“上方”および“下方”はブラケット１０に関して互換可能である。
【００５１】
第１部分１３は端部面（この実施例では上方面２０）を提供し、第２部分１５は、反対側の端部面（この実施例では下方面２２）を提供する。第１部分１３と第２部分１５は離間しており、両者間にスロット部を形成している。後方基部１１と第１部分１３および第２部分１５は内側面２３を形成する。
【００５２】
後方基部１１は、歯Ｔと後方面１２の間に提供された接着剤Ｓを介して歯Ｔの表面に固定されるようになっている（図１０、図１１、図１３、図１７参照）。
【００５３】
ブラケットの前方面１５はスロット部２４に通じる前方開口部２５を含む。スロット部２４はアーチワイヤー２６をその中に設置させるように設計されており（図８、図８Ａ、図１０、図１１参照）、前方開口部２５を介してこのアーチワイヤー２６を受領する。
【００５４】
特に、スロット部２４は前方スロット部分２４Ａと後方スロット部分２４Ｂを有しており、後方スロット部分２４Ｂはトンネルを形成している。この前方スロット部分２４Ａはそれぞれ上方壁部２８と下方壁部３０で形成されている。後方スロット部分２４Ｂは上方壁部２８と、下方壁部３０に対して窪んでいる下方壁部３２とで形成され、それらの間に傾斜した肩部３４を形成しており、最終的にスロット部またはトンネル２４Ｂが後方壁部３６によって形成される。
【００５５】
アーチワイヤー２６は、例えば、図１２、図１４、図１５、図１６で示すように後方部分２４Ｂの内部に維持できる。あるいは図１０と図１１で示すように前方部分２４Ａの内部に維持できる。
【００５６】
ブラケット１０の上方面２０は、穴部４２を含んだ上方床部４０に通じる上方開口部３８を含む。穴部４２は斜面加工された壁部４４で囲まれ、スロット部２４に導く。開口部３８および穴部４２は、セットスクリュー４６（図５参照）を受領するような調節可能な締付要素を提供する。図５Ａは、セットスクリュー４６が、頭部４８、および、そこから下方に延び出ているネジ体５０を含むことを図示している。ネジ体５０はネジ溝を有した壁部４４と螺合する。セットスクリューの頭部４８の下側または肩部５２は上方床部４０に接する。セットスクリューの頭部４８は、歯列矯正医にネジ体５０を穴部４２の内部に移動、または、そこから引き抜かせる上方係合要素５４を含む。アーチワイヤー２６と係合させるため、ネジ体５０の下方端部５５は、穴部４２からスロット部２４の内部に突起する。このように、セットスクリュー４６は、アーチワイヤー２６に対して締付力または引張力を加えるように機能する締付要素である。
【００５７】
上方部分１３の上方開口部３８は、後方基部１１に形成された後方開口部３９（図４）と連続的である。さらに、下方部分１５は後方基部１１の開口部に形成された下方の後方開口部４３（図４）と連続的である下方部分の開口部４１（図２Ａ）を含む。よって、歯列矯正医は歯Ｔの上にブラケット１０を配置し、開口部３８、３９、４１、４３を通して、後方面１２と歯Ｔとの間に前方面から接着剤を注入できる。特に、前方開口部３８と４１を介して接着剤を注入することで目的を達成できる。前記形態はブラケット１０を通して接着剤を注入させる。これでブラケット１０と歯Ｔとを密着させずともブラケット１０と歯Ｔのアーチ腹面を直接的に口内で成型させることができる。ブラケットはブラケット移転スプリント、および、接着剤が十分にポリマー化したときに解放されるスクリューによって適正な位置に維持される。
【００５８】
図１、図１Ａ、図２、図２Ａ、図３、図４に関し、側部１６と１８はそれぞれ図示の側部開口部５６を含む。これらは本例の場合には、Ｃ形状を有しており、互いに鏡面対称である。開口部５６はアーチワイヤーを通過させて延伸させる。それぞれの開口部５６はブラケット１０の内側面２３に形成された内側スロット部６０に隣接した外出部分５８を含む。外出部分５８は、上方部分６２Ｔ、下方部分６２Ｂ、および後方壁部分６２Ｒを有したＣ形状の壁部６２を提供する。内側スロット部６０は、Ｃ形状の壁部６２に対して窪んでいるＣ形状の壁部６６を提供する。下方壁部３０、３２、後方壁部３６、および上方壁部２８は内側Ｃ形状構造物６４を提供する。壁部６８は窪んだ壁部６６とＣ形状構造物６４との間に提供される。壁部７０はＣ形状壁部６２と６６の間に提供される。
【００５９】
内側のスロット部６０は、離間した隣接のＣ形状側壁部６８と７０によって囲まれている。
【００６０】
開口部５６はブラケット連結構造体７２にブラケット１０を取り付けさせる。
【００６１】
図８には、ブラケット連結構造体７２を含んだ歯列矯正ブラケット装置Ｄが図示されている。この歯列矯正ブラケット装置Ｄは、ブラケット１０のそれぞれの側部にそれぞれ取り付けられた一対のブラケット連結要素７３Ａと７３Ｂを含む。特に、隣接ブラケット１０’と１０”の連結要素７３Ａと７３Ｂ（構造体７２を構成）は、重なり合ったコイル（本例ではスプリングコイル７４Ａと７４Ｂ）をそれぞれ含む。各スプリングコイル７４Ａと７４Ｂは取付要素７６Ａと７６Ｂ（図７と図６参照）を、その一端と、反対側の自由端７８とにそれぞれ含む。取付要素７６Ａと７６Ｂはアーチワイヤー２６のための開口部７７を含む。以下で説明するように、取付要素７６Ａは静止要素であり、取付要素７６Ｂは可動要素である。
【００６２】
図７で図示する取付要素７６Ｂは三部分を含む。すなわち、内側部分８０、中央部分８２、および外側部分８４を含む。内側部分８０は内側Ｃ形状のスロット部分６０内に回転式に挿入された円形要素を有する。中央部分８２も円形であり、回転式に内側Ｃ形状の壁部６６に係合する。外側部分８４は、そこに取り付けられたコイル７４Ｂで側壁部１８と接する六角形状である。
【００６３】
歯列矯正医はコイル７４Ａまたは７４Ｂを回転させるために外側部分８４と係合できる。図１３の実施例で示すように（以下で説明）、外側部分８４’は、歯列矯正医による回転制御を向上させるように係合要素８５（スポーク形状）を含むことができる。
【００６４】
図６が示す取付要素７６Ａは、スロット部６０に挿入される方形形状を有した内側部分８６と、壁部６６と係合する中央円形部分８８と、側壁部１６に接し、そこに取り付けられたコイル７４Ａを有した外側円形部分９０とを含む。内側部分８６の方形形状によって、取付要素７６Ａは静止状態となり、コイル７４Ａは回転しない。
【００６５】
アーチワイヤー２６はコイル７４Ａと７４Ｂ、および取付要素７６Ａと７６Ｂの開口部７７を通過して取り付けられる。
【００６６】
図８に示すように、コイル７８Ａの内部に引っ込むため、またはそこから外側に延び出るためにコイル７８Ｂは回転可能である。このようにして、ブラケット１０’と１０”との間の距離は大幅に向上した制御下で決定できる。ブラケット１０は固定されたコイル７４Ａを有した側部１６と、可動または回転可能なコイル７４Ｂを有した別側部１８とを含む。ブラケット１０が患者の歯Ｔに取り付けられると、隣接ブラケットの隣接コイルは重なる。すなわち、ブラケット１０’の可動コイル７４Ｂと、隣接ブラケット１０”の静止コイル７４Ａが重なり合い、ブラケット連結構造体７２を形成する。
【００６７】
コイル７４Ａと７４Ｂは中央のアーチワイヤー２６の周辺で重なり、２つの隣接ブラケット１０間の距離を変化させる。歯列矯正医がこの距離の増大を願えば、コイル（７４Ａ、７４Ｂ）は歯Ｔとブラケット１０との間で圧縮される。よって歯列矯正医は適正方向にコイル（７４Ａ、７４Ｂ）を回し、これら二つのコイル間の重なり部分“Ｉ”（図８参照）が減少する。一方、歯列矯正医がブラケット１０間（すなわち隣接する歯間）の距離を増大させたいなら、影響を受ける長さ“Ｐ”（図８参照）または隣接コイル７４Ａと７４Ｂの非重合部分はさらに短くなければならず、重なった部分“Ｉ”は増加し、二つのコイル７４Ａと７４Ｂとの間の引張力が増加する。歯列矯正中に患者の需要に応じてコイル７４Ａとコイル７４Ｂの長さは歯列矯正医によって短縮される。
【００６８】
例えば、二つのブラケット１０間の距離は、４ｍｍである共通の重合部分“Ｉ”をそれぞれ含んだ７ｍｍの二つのコイルによって調節できる。もし、歯列矯正医がブラケット間の距離の増加を望むなら、重合部分は２ｍｍに減少でき、よって両コイルは２ｍｍだけ巻き戻すように回され、重合部分“Ｉ”の各側部で６ｍｍの変動または非重合部分“Ｐ”を提供し、二つの隣接ブラケット１０間の総変長を１２ｍｍとする。ブラケット間の距離を減少させることも可能で、前述のように、両コイルを互いに重なり合わせて重合部分を６ｍｍに増加させることで隣接した歯Ｔを互いに接近させることができる。
【００６９】
ブラケット１０間のコイル７４Ａと７４Ｂのフレキシブルな性質によって、それらコイルは、搭載されている歯Ｔの表面アーケードに忠実に沿うことができ（図１０と図１１参照）、コイル７４Ａと７４Ｂの内部のアーチワイヤー２６を歯Ｔと整合させる。
【００７０】
図８Ａには、一端がブラケット１０”に取り付けられた取付要素７６Ａに接続され、他端が隣接ブラケット１０’に取り付けられた取付要素７６Ｂに接続された一本のコイル７４の形態で提供されているフレキシブルな弾性部材（要素）を含んでいるブラケット連結構造体７２’を含んだ歯列矯正ブラケット装置Ｄ’が図示されている。この実施例では、ブラケット間の距離は、ブラケット連結構造体の距離の変動ではなく、コイル７４の捩れの変動で影響を受ける。可動な取付要素７６Ｂはコイル７４の捩力を増加させて二つの歯Ｔを接近させるように回すことができる。特に、コイル７４を圧縮して二つの隣接ブラケット１０’と１０”を圧迫し、結果としてブラケット間距離を増加させ、あるいは延伸させ、二つの隣接ブラケット１０’と１０”を引っ張り、ブラケット間距離を減少させることができる。
【００７１】
図９で示すブラケット１０は、ロック要素９８と９９および延出部９７（別実施例ではこの延出部は外されている）によって囲まれているスロット部２４内に挿入体９６を含ませることで分離できる。よって、ブラケット１０は分離が可能である。挿入体９６は、ブラケット１０を歯Ｔに接着または係留するとき接着剤なくともスロット部２４を保持させる。
【００７２】
図１０から図１３には、接着剤Ｓによって歯Ｔに取り付けられた複数のブラケット１０を含んだ歯列矯正ブラケット装置Ｄ”が図示されている。いくつかの隣接ブラケットが、ブラケット連結構造体９２によって接続されている。本発明の歯列矯正ブラケット装置は、全対の隣接ブラケット１０がここで開示されている接続構造体によって接続されることを要求しない。どのブラケットの対を選択された治療に基づいて接続することが必要であるかは歯列矯正医が判断する。
【００７３】
ブラケット連結構造体９２は一対の重なったコイルで製造でき、一本のコイルのごときフレキシブルな弾性要素または筒状構造体が、一対の隣接ブラケット１０と、これらブラケットが取り付けられる歯との間の距離および引張力を増加または減少させることができる。
【００７４】
ブラケット１０は上顎の歯に取り付けられるため、セットスクリューへのアクセスを提供する開口部３８を備えた表面２０は下方に配置され、歯列矯正医によるセットスクリュー４６の調整を容易にしており、第１部分１３は下方部分であり、第２部分１５は上部部分である。
【００７５】
図１０から図１３は患者に本発明を適用可能にする種々な方法を図示する。
【００７６】
図１０と図１１では、アーチワイヤー２６’はブラケット連結構造体９２の前方、すなわち、前方スロット部分２４Ａ内に配置される。あるいは、ブラケット連結構造体９２は通過するアーチワイヤー（図１１の点線の２６参照）も含んでいるため、アーチワイヤー２６’は追加のアーチワイヤーである。最後に、図１２および図１３で図示するように、後方スロット部分１２４Ｂ内に取り付けられ、ブラケット連結構造体９２を通過する一本だけのアーチワイヤー２６が存在する。
【００７７】
図１３で示すロック機構１００もスロット部１０４に挿入できる。ロック機構１０３は、スロット部２４内に配置された挿入体１０２と、スポーク８５と係合し、取付要素８３を回転させないストッパ１０４とを両側に含む。
【００７８】
本発明の歯列矯正ブラケット装置は、ブラケット１０の係止を可能にし、歯に対する引張力の分布の制御を向上させ、係止により引き起こされる引張力を低減させ、矯正が不要な歯の移動を回避する。例えば、図１０で示す歯Ｔ１、Ｔ２およびＴ３はそれぞれ、小さな矯正を必要としているもの、一切の矯正が不要であるもの、および中程度の矯正を必要としているものであり、本発明の歯列矯正ブラケット装置は、大きな効果でそのような必要に応える。
【００７９】
上記の特徴は図１２、図１４および図１６において明瞭に図示されている。図１２と図１６は係留されたブラケット１０を示している。すなわち、セットスクリュー４６は内側に移動し、アーチワイヤー２６をブラケット１０の内面２３と挟んで固定するように、方形形状のアーチワイヤー２６に対して十分な引張力を加える。従って、ブラケット１０とアーチワイヤー２６を共に確実にロックする。図１４は、図１２と図１６のものに類似したセッティング例を図示する。しかし、この場合には、アーチワイヤー２６は筒状であり、このようなアーチワイヤーは、歯列矯正治療の初期に整合状態を提供するために使用される。一方、図１５は、傾斜して設置されているが、ブラケット１０内に頑強には固定されていない非係留状態のアーチワイヤー２６を図示する。よって、アーチワイヤーはブラケット１０の内側面２３に沿って容易に横にスライド移動できる。
【００８０】
図１６から図２２にかけては、上顎Ｊの歯Ｔに取り付けられた複数のブラケット１０、およびブラケット１０に取り付けられたアーチワイヤー１１０を含んだ歯列矯正ブラケット装置Ｄ”’が図示されている。
【００８１】
図２２で示すアーチワイヤー１１０は、両側に自由端１１１と１１３を有した本体１１２を含んでいる。アーチワイヤーは複数の離間した窪部分１１４を内側に湾曲した凹形態で有しており、交互に外出部分１１６と窪部分１１４が形成されている。外出部分１１６は湾曲しており、当該技術で知られているように、設置されている歯Ｔの外側アーケードに沿っている。窪部分１１４は、前方面の開口部２５を介してスロット部２４内でブラケット１０にフィットする。アーチワイヤー１１０のこの形状は、アーチワイヤー１１０がブラケット１０の側部１６と１８の開口部５６を通って延びることを不要としている。実際に、アーチワイヤー部分１１４と１１６の間で形成された角部または関節部１１８は前方面の開口部２５を通過してのみ延び、窪部分１１４をスロット部内に挿入させることができる。あるいは、角部１１８と、外出部分１１６の直接的に隣接する領域は、本実施例で示すように開口部５６を通過することができる。
【００８２】
一実施例ではアーチワイヤー１１０は形状記憶ワイヤーである。
【００８３】
各ブラケットの側部の開口部５６の幅は、図１８で示すように、スロット部２４と開口部２５および５６を介してブラケットに取り付けられている図２１と図２２で明瞭に示されるブラケットの挿入体１２０を利用して減少させることができる。
【００８４】
特に、図１８、図１９、図２１および図２２で示す挿入体１２０は、スロット部２４内に挿入され、ブラケットの内壁部３０とセットスクリュー４６とで挟まれた主プラットホーム１２２を含む。挿入体１２０はセットスクリュー４６を使用せずとも保持が可能である。プラットホームは、ブラケット１０内に挿入されると壁部１６または１８と連続的となる側壁部１２６を有した両側の側部翼体１２４に挟まれている。この側部翼体１２５は、スロット部６０で形成されたブラケットの内壁部６２Ｂおよび６６Ｂとそれぞれ係合するオフセットされた外側壁部１３０および内側壁部１３２を有した第１の突出板構造部１２８を含む。側部翼体１２４は、第２の突出板構造部１３４も含んでおり、第２の突出板構造部は、スロット部６０により形成されたブラケットの内壁部６２Ｔと６６Ｔとそれぞれ係合するオフセットされた外壁部１３６と内壁部１３８を有する。さらに、第２の突出板構造部１３４のそれぞれの内周壁部１４０は窪んでおり、アーチワイヤー１１０の内側凹部１１４のためのスペースを提供する。第２の突出板構造部１３４の前端１４２は内側に窪んでおり、開口部５６よりも小さなアーチワイヤー１１０のためにクレアランスまたは開口部１５６を提供する（図１７Ａ参照）。上記構造は側部開口部５６の幅を減少させる。
【００８５】
凹状または窪部分１１４はセットスクリュー４６を囲んでいる。セットスクリュー部分４６は、従来のセットスクリューまたは縛付体を介してブラケット１０内に維持が可能である。
【００８６】
図２３、図２４および図２５は、ブラケット１０と構造的に類似したブラケット１６０を図示する。両者の相違は構造の簡素性に関するものだけである。本実施例の場合には、前方開口部１６２は前方開口部２５よりも小さく、側部１８と１６の側部開口部１６４と形状的に連続しており、内側のスロット部２４に導く共通スリット（あるいはスロット）部１６６が提供されている。
【００８７】
図２６は歯列矯正ブラケット装置Ｄ””の別実施例を図示する。この装置は、歯Ｔに取り付けられる複数の歯列矯正ブラケット２０２と、ブラケット２０２に取り付けられるアーチワイヤー２０４とを含む。各ブラケット２０２は、内部に取り付けられ、アーチワイヤー２０４を受領するための開口部２１０を形成するＣ形状部材２０８を備えた外側カバー部材２０６を含む。各ブラケット２０２は、アーチワイヤー２０４を両者間で掴んで解放する上方セットスクリュー２１６と下方セットスクリュー２１８のそれぞれのための上方穴部２１２と下方穴部２１４をそれぞれ含む。
【００８８】
製造方法
【００８９】
本明細書中で開示されている種々なブラケットは、金属、プラスチック樹脂、および他の知られた好適素材を含んで、様々な生物適合性材料により射出成型できる。もちろん、これらブラケットは部分的あるいは完全に機械加工によっても製造できる。対状態のブラケットを金属から製造することが可能である。中央部または芯部はセットスクリューを含んで金属製とすることができ、本体の残り部分はプラスチック樹脂で形成あるいは成型でき、芯部に組み込むことができる。これらブラケットは歯科用の既成実験モデルに取り付け可能である。なぜなら、そのアーチ腹面はこれらモデルの複合物により提供できるからである。続いてそれらは従来技術によって患者の口内で歯に接着させることができる。
【００９０】
歯列矯正ブラケット装置の使用法
【００９１】
本明細書で開示された歯列矯正ブラケット装置は従来式に、接着手段によって直接的に患者の歯に取り付けることが可能である。あるいは間接的に模型（すなわち未矯正歯を配置したもの）を利用して準備してから口内に移すこともできる。さらに精密である別方法では、仮想模型（キャドカム）を介した数的配置を利用し、続いて配置されたブラケットをキャドにより、または従来の方法でブラケット移動スプリントを介して口内に移動させる。
【００９２】
本明細書で開示された歯列矯正ブラケットおよび歯列矯正ブラケット装置は従来のアーチワイヤーと共に使用することができ、従来の治療技術も利用できる。治療手法はブッカル（口）形態またはリンガル（舌）形態あるいはそれらの組み合わせ形態でよく、インビサリン(Invisalign；登録商標)が含まれる。
【００９３】
本発明の歯列矯正ブラケット装置は複数の利点を含む。それらには、相対的に大きなブラケット間の角部との摩擦を回避しつつ、さらに迅速で、さらに快適な治療を可能とする、さらに精密なアーチワイヤーの利用が含まれる。形状記憶アーチワイヤーは、歯の外側アーケードにさらに精密に沿って取り付けられるため、生体力学的欠点を弱化し、さらに向上した整合性の制御、並びにさらに向上した効率を提供する。
【００９４】
専門家であれば容易に理解するであろうが、本発明の範囲内でさらに別な実施態様を提供するために、本明細書で解説されている種々な特徴を多様に組み合わせることができる。さらに、本発明は、添付図面において図示され、本明細書で解説されている構成の細部および部材には限定されない。本発明は、他の実施態様においても実施可能であり、様々に形態で利用できる。本明細書で使用されている表現および用語は本発明の解説を目的としたものであって、本発明を限定するものではない。よって、本発明は、上記の実施例を基にして解説されているが、本発明の精神、範囲、および特性から逸脱することなく変更が可能である。
【図１Ａ】
2013520249.tif 000003
【図１Ｂ】
2013520249.tif 000004
【図２Ａ】
2013520249.tif 000005
【図２Ｂ】
2013520249.tif 000006
【図３】
2013520249.tif 000007
【図４】
2013520249.tif 000008
【図５】
2013520249.tif 000009
【図５Ａ】
2013520249.tif 000010
【図６】
2013520249.tif 000011
【図７】
2013520249.tif 000012
【図８】
2013520249.tif 000013
【図８Ａ】
2013520249.tif 000014
【図９】
2013520249.tif 000015
【図１０】
2013520249.tif 000016
【図１１】
2013520249.tif 000017
【図１２】
2013520249.tif 000018
【図１３】
2013520249.tif 000019
【図１４】
2013520249.tif 000020
【図１５】
2013520249.tif 000021
【図１６】
2013520249.tif 000022
【図１７】
2013520249.tif 000023
【図１７Ａ】
2013520249.tif 000024
【図１８】
2013520249.tif 000025
【図１９】
2013520249.tif 000026
【図２０】
2013520249.tif 000027
【図２１】
2013520249.tif 000028
【図２２】
2013520249.tif 000029
【図２３】
2013520249.tif 000030
【図２４】
2013520249.tif 000031
【図２５】
2013520249.tif 000032
【図２６】
2013520249.tif 000033
【手続補正書】
【提出日】平成23年12月23日(2011.12.23)
【手続補正１】
【補正対象書類名】特許請求の範囲
【補正対象項目名】全文
【補正方法】変更
【補正の内容】
【特許請求の範囲】
【請求項１】
歯列矯正装置のための歯列矯正ブラケットであって、
歯に取り付けられる後方基部と、
側部と、
該後方基部から延び出ていると共に互いに離間した第１部分および第２部分であって、これらの間でその中にアーチワイヤーを配置するスロット部と、該アーチワイヤーを前記スロット内に受領させる前方開口部とを形成しており、前記第１部分と第２部分の少なくとも一方は前記アーチワイヤーとの係合のための調節可能な締付要素を含んでいる、第１部分および第２部分と、を備え、
前記第１部分および第２部分と前記後方基部はブラケットの内側面を提供しており、該ブラケット内側面は前記側部の近辺に内側スロット部を含んでおり、前記締付要素は前記スロット部内の前記アーチワイヤーに対する引張力を増加または減少させることを特徴とする歯列矯正ブラケット。
【請求項２】
前記第１部分と第２部分は前方面を提供しており、該前方面は前記前方開口部を含んでいることを特徴とする請求項１記載の歯列矯正ブラケット。
【請求項３】
前記側部はブラケット連結構造体を本歯列矯正ブラケットに取り付ける際に利用されることを特徴とする請求項１記載の歯列矯正ブラケット。
【請求項４】
前記側部は前記スロット部に通じるそれぞれの側部開口部を含んでおり、前記アーチワイヤーが前記スロット部に設置されたときに、該アーチワイヤーを前記側部開口部から外側に延び出させることを特徴とする請求項１記載の歯列矯正ブラケット。
【請求項５】
前記内側面はＣ形状壁部を含んでおり、それぞれの前記内側スロット部は該Ｃ形状壁部に沿って形成されていることを特徴とする請求項１記載の歯列矯正ブラケット。
【請求項６】
前記内側スロット部はブラケット連結構造体を本歯列矯正ブラケットに取り付ける際に利用されることを特徴とする請求項１から５のいずれか一項に記載の歯列矯正ブラケット。
【請求項７】
前記内側スロット部は挿入体を受領するように利用されることを特徴とする請求項１から６のいずれか一項に記載の歯列矯正ブラケット。
【請求項８】
前記挿入体は前記開口部の大きさを変更するように利用されることを特徴とする請求項７記載の歯列矯正ブラケット。
【請求項９】
前記スロット部は内部に挿入体を受領することを特徴とする請求項１から８のいずれか一項に記載の歯列矯正ブラケット。
【請求項１０】
前記第１部分と第２部分の少なくとも一方は前方開口部を含んでおり、前記後方基部は該前方開口部と連続的である後方開口部を含んでおり、前記後方基部と歯との間に前記前方開口部から接着剤を注入させることを特徴とする請求項１から９のいずれか一項に記載の歯列矯正ブラケット。
【請求項１１】
前記後方基部は後方面を含んでおり、該後方面は内側に窪んでいることを特徴とする請求項１から１０のいずれか一項に記載の歯列矯正ブラケット。
【請求項１２】
前記調節可能な締付要素はセットスクリューを含んでいることを特徴とする請求項１から１１のいずれか一項に記載の歯列矯正ブラケット。
【請求項１３】
前記第１部分と第２部分の一方は、前記セットスクリューを受領するために前記スロット部内に通じる穴部を含んでいることを特徴とする請求項１２記載の歯列矯正ブラケット。
【請求項１４】
前記第１部分と第２部分のそれぞれは端部表面を含んでおり、前記調節可能な締付要素は調節可能な制御のために前記端部表面の一つから突起することを特徴とする請求項１から１３のいずれか一項に記載の歯列矯正ブラケット。
【請求項１５】
前記第１部分と第２部分の両方は前記アーチワイヤーと係合するために調節可能な締付要素を含んでいることを特徴とする請求項１から１４のいずれか一項に記載の歯列矯正ブラケット。
【請求項１６】
前記第１部分は上方部分を含み、前記第２部分は下方部分を含んでいることを特徴とする請求項１から１５のいずれか一項に記載の歯列矯正ブラケット。
【請求項１７】
前記第１部分は下方部分を含み、前記第２部分は上方部分を含んでいることを特徴とする請求項１から１５のいずれか一項に記載の歯列矯正ブラケット。
【請求項１８】
前記上方部分は上方部分開口部を含んでおり、前記後方基部は該上方部分開口部と連続的である上方後方開口部を含んでおり、前記後方基部と歯との間に前記上方開口部から接着剤を注入させることを特徴とする請求項１６または１７記載の歯列矯正ブラケット。
【請求項１９】
前記下方部分は下方部分開口部を含んでおり、前記後方基部は該下方部分開口部と連続的である下方後方開口部を含んでおり、前記後方基部と歯との間に前記下方開口部から接着剤を注入させることを特徴とする請求項１６または１７記載の歯列矯正ブラケット。
【請求項２０】
歯列矯正装置のための歯列矯正ブラケットであって、
歯に取り付けるための後方面を提供する後方基部と、
側部と、
該後方基部から延び出ている第１部分および第２部分であって、これらの間でアーチワイヤーをその中に配置するスロット部を提供し、前記後方面に形成されている後方開口部と連続的である少なくとも一つの開口部を有した前方面を提供する、第１部分および第２部分と、を備え、
前記第１部分および第２部分と前記後方基部はブラケットの内側面を提供しており、該ブラケット内側面は前記側部の近辺に内側スロット部を含んでおり、前記少なくとも一つの開口部に接着剤を注入することで、前記後方基部と歯との間に前記後方開口部から接着剤を注入させることを特徴とする歯列矯正ブラケット。
【請求項２１】
前記第１部分と前記第２部分は互いに離間しており、両者間に前記スロット部を形成していることを特徴とする請求項２０記載の歯列矯正ブラケット。
【請求項２２】
前記前方面は前記アーチワイヤーを前記スロット部に受領させるための前方開口部をさらに含んでいることを特徴とする請求項２０または２１記載の歯列矯正ブラケット。
【請求項２３】
前記第１部分と前記第２部分の少なくとも一方は、前記スロット部に前記アーチワイヤーを係合させるために調節可能な締付要素を含んでいることを特徴とする請求項２０から２２のいずれか一項に記載の歯列矯正ブラケット。
【請求項２４】
それぞれの前記側部は前記スロット部に通じるそれぞれの側部開口部を含んでおり、前記アーチワイヤーが前記スロット部に設置されたときに、該アーチワイヤーを前記側部開口部から外側に延び出させることを特徴とする請求項２１から２３のいずれか一項に記載の歯列矯正ブラケット。
【請求項２５】
前記側部はブラケット連結構造体を本歯列矯正ブラケットに取り付ける際に利用されることを特徴とする請求項２４記載の歯列矯正ブラケット。
【請求項２６】
前記側部は挿入体を受領する際に利用されることを特徴とする請求項２４又は２５記載の歯列矯正ブラケット。
【請求項２７】
前記挿入体は前記側部開口部の大きさを変更するように利用されることを特徴とする請求項２６記載の歯列矯正ブラケット。
【請求項２８】
前記スロット部は挿入体を受領することを特徴とする請求項２１から２７のいずれか一項に記載の歯列矯正ブラケット。
【請求項２９】
前記後方基部は後方面を含んでおり、該後方面は内側に窪んでいることを特徴とする請求項２０から２８のいずれか一項に記載の歯列矯正ブラケット。
【請求項３０】
前記調節可能な締付要素はセットスクリューを含んでいることを特徴とする請求項２０から２９のいずれか一項に記載の歯列矯正ブラケット。
【請求項３１】
前記第１部分と第２部分の一方は、前記セットスクリューを受領するために前記スロット部内に通じる穴部を含んでいることを特徴とする請求項３０記載の歯列矯正ブラケット。
【請求項３２】
前記第１部分と第２部分のそれぞれは端部表面を含んでおり、前記調節可能な締付要素は、調節可能な制御のために前記端部表面の一つから突起することを特徴とする請求項２３から３１のいずれか一項に記載の歯列矯正ブラケット。
【請求項３３】
前記第１部分と第２部分の両方は、前記アーチワイヤーと係合するために調節可能な締付要素を含んでいることを特徴とする請求項２１から３２のいずれか一項に記載の歯列矯正ブラケット。
【請求項３４】
前記第１部分は上方部分を含み、前記第２部分は下方部分を含んでいることを特徴とする請求項２０から３３のいずれか一項に記載の歯列矯正ブラケット。
【請求項３５】
前記第１部分は下方部分を含み、前記第２部分は上方部分を含んでいることを特徴とする請求項２０から３３のいずれか一項に記載の歯列矯正ブラケット。
【請求項３６】
前記上方部分は前記開口部を含んでいることを特徴とする請求項３４または３５記載の歯列矯正ブラケット。
【請求項３７】
前記下方部分は前記開口部を含んでいることを特徴とする請求項３４または３５記載の歯列矯正ブラケット。
【請求項３８】
歯列矯正ブラケット装置であって、
患者の歯に取り付けられる複数のブラケットと、
隣接する前記ブラケットの対に取り付けられ、該ブラケット間に設置される少なくとも一つのブラケット連結構造体と、を備え、
該ブラケット連結構造体は一対のコイルを含んでおり、それぞれのコイルは前記隣接ブラケットの対のそれぞれに固定されており、前記ブラケット連結構造体の長さは、前記隣接するブラケットの対の間の距離を対応的に変更するように調節可能であることを特徴とする歯列矯正ブラケット装置。
【請求項３９】
前記ブラケット連結構造体は一対の別々となった連結要素を含んでいることを特徴とする請求項３８記載の歯列矯正ブラケット装置。
【請求項４０】
前記別々の連結要素はそれぞれ、前記ブラケットの対の一方に取り付けるための取付要素を含んでいることを特徴とする請求項３８記載の歯列矯正ブラケット装置。
【請求項４１】
前記ブラケットは前記取付要素を受領するように設計された側部を含んでいることを特徴とする請求項４０記載の歯列矯正ブラケット装置。
【請求項４２】
前記側部は前記取付要素を受領させるための開口部をそれぞれ含んでいることを特徴とする請求項４１記載の歯列矯正ブラケット装置。
【請求項４３】
前記側部は、前記取付要素を受領するスロット部をそれぞれ含んでいることを特徴とする請求項４２記載の歯列矯正ブラケット装置。
【請求項４４】
前記取付要素の一方は、前記ブラケットに取り付けられると該ブラケットに対して可動であり、他方の前記取付要素は前記ブラケットに取り付けられると該ブラケットに対して不動であることを特徴とする請求項４０から４３のいずれか一項に記載の歯列矯正ブラケット装置。
【請求項４５】
前記可動な取付要素の移動によって前記ブラケット連結構造体の長さが変更されることを特徴とする請求項４４記載の歯列矯正ブラケット装置。
【請求項４６】
前記可動な取付要素は、自身の移動を制御するために係合要素を含んでいることを特徴とする請求項４４または４５記載の歯列矯正ブラケット装置。
【請求項４７】
前記可動な取付要素の移動は回転移動を含んでいることを特徴とする請求項４６記載の歯列矯正ブラケット装置。
【請求項４８】
前記両コイルは重なり合っていることを特徴とする請求項３８記載の歯列矯正ブラケット装置。
【請求項４９】
第１の方向での一方の前記コイルの動きは、該コイルの他方の前記コイル内への動きとなり、前記ブラケット連結構造体の長さを減少させ、第２の方向での前記一方のコイルの動きは、該コイルの前記他方のコイルからの外側への動きとなり、前記ブラケット連結構造体の長さを増加させることを特徴とする請求項４８記載の歯列矯正ブラケット装置。
【請求項５０】
前記一方のコイルの動きは回転であることを特徴とする請求項４９記載の歯列矯正ブラケット装置。
【請求項５１】
前記ブラケットに取り付けられるアーチワイヤーをさらに含んでいることを特徴とする請求項３８から５０のいずれか一項に記載の歯列矯正ブラケット装置。
【請求項５２】
前記アーチワイヤーは前記ブラケット連結構造体を通過して設置されていることを特徴とする請求項５１記載の歯列矯正ブラケット装置。
【請求項５３】
前記ブラケットはそれぞれのスロット部とそれぞれの開口した側部とを含んでおり、前記アーチワイヤーは該スロット部と該開口した側部とを通過して設置されていることを特徴とする請求項５１または５２に記載の歯列矯正ブラケット装置。
【請求項５４】
前記ブラケットのそれぞれは、アーチワイヤーを受領させるために開口した前方面を含んでいることを特徴とする請求項３８から５３のいずれか一項に記載の歯列矯正ブラケット装置。
【請求項５５】
追加のアーチワイヤーをさらに含んでいることを特徴とする請求項５２から５４のいずれか一項に記載の歯列矯正ブラケット装置。
【請求項５６】
前記追加のアーチワイヤーは前記ブラケット連結構造体の前方に設置されていることを特徴とする請求項５５記載の歯列矯正ブラケット装置。
【請求項５７】
前記アーチワイヤーは前記ブラケット連結構造体の前方に設置されていることを特徴とする請求項５１記載の歯列矯正ブラケット装置。
【請求項５８】
歯列矯正ブラケット装置であって、
患者の歯に取り付けられる複数のブラケットと、
フレキシブルな弾性要素を含み、隣接する前記ブラケットの対に取り付けられ、該ブラケット間に設置される少なくとも一つのブラケット連結構造体と、を備え、
前記ブラケット連結構造体は前記フレキシブルな弾性要素のそれぞれの端部に一対の取付要素を含んでおり、それぞれの該取付要素は前記ブラケットの対の一方に取り付けられており、前記ブラケットは、開口部を提供している側部と、該開口部の近辺の内側スロット部とを含んでおり、それぞれの該内側スロット部は前記取付要素を受領し、前記弾性要素は、前記隣接するブラケットの対の間の距離を対応的に変更するように圧縮または延伸が可能であることを特徴とする歯列矯正ブラケット装置。
【請求項５９】
前記ブラケットに取り付けられると前記取付要素の一方は該ブラケットに対して可動であり、前記ブラケットに取り付けられると前記取付要素の他方は該ブラケットに対して不動であることを特徴とする請求項５８記載の歯列矯正ブラケット装置。
【請求項６０】
可動に取り付けられた前記取付要素の移動によって、フレキシブルな前記弾性要素は延伸あるいは収縮することを特徴とする請求項５９記載の歯列矯正ブラケット装置。
【請求項６１】
可動に取り付けられた前記取付要素は、自身の動きを制御するために係合要素を含んでいることを特徴とする請求項５９または６０記載の歯列矯正ブラケット装置。
【請求項６２】
可動に取り付けられた前記取付要素の移動は回転移動を含んでいることを特徴とする請求項６１記載の歯列矯正ブラケット装置。
【請求項６３】
フレキシブルな前記弾性要素は、隣接する前記ブラケットのそれぞれに固定されているコイルを含んでいることを特徴とする請求項５８から６２のいずれか一項に記載の歯列矯正ブラケット装置。
【請求項６４】
第１の方向における前記コイルの動きで該コイルは圧縮され、第２の方向における前記コイルの動きで該コイル延伸することを特徴とする請求項６３記載の歯列矯正ブラケット装置。
【請求項６５】
前記一つのコイルの動きは回転であることを特徴とする請求項６４記載の歯列矯正ブラケット装置。
【請求項６６】
前記ブラケットに取り付けられたアーチワイヤーをさらに含んでいることを特徴とする請求項５８から６５のいずれか一項に記載の歯列矯正ブラケット装置。
【請求項６７】
前記アーチワイヤーは前記ブラケット連結構造体を通過して設置されていることを特徴とする請求項６５記載の歯列矯正ブラケット装置。
【請求項６８】
前記ブラケットはそれぞれスロット部と開口した側部とを含んでおり、前記アーチワイヤーは該スロット部と該開口した側部とを通過して配置されていることを特徴とする請求項６６または６７記載の歯列矯正ブラケット装置。
【請求項６９】
前記ブラケットはそれぞれアーチワイヤーを受領するために開口した前方面を含んでいることを特徴とする請求項５８から６８のいずれか一項に記載の歯列矯正ブラケット装置。
【請求項７０】
追加のアーチワイヤーをさらに含んでいることを特徴とする請求項６６または６７記載の歯列矯正ブラケット装置。
【請求項７１】
追加された前記アーチワイヤーは前記ブラケット連結構造体の前方に設置されていることを特徴とする請求項７０記載の歯列矯正ブラケット装置。
【請求項７２】
追加された前記アーチワイヤーは前記ブラケット連結構造体の前方に設置されていることを特徴とする請求項６６記載の歯列矯正ブラケット装置。
【請求項７３】
フレキシブルな前記弾性要素は管状要素を含んでいることを特徴とする請求項５８記載の歯列矯正ブラケット装置。
【請求項７４】
歯列矯正ブラケット装置であって、
患者の歯に取り付けられる後方基部と、
該後方基部から延び出ていると共に互いに離間した第１部分および第２部分であって、これらの間にスロット部を形成し、該スロット部に通じる前方開口部を提供する、第１部分および第２部分と、
前記第１部分および第２部分の少なくとも一方に取り付けられ、前記スロット部内で可動である少なくとも一つのセットスクリューと、
前記前方開口部を介して前記スロット部内に設置される窪部分を含んだアーチワイヤーと、を備え、
前記窪部分は前記スロット部内に設置されると前記セットスクリューを囲むことを特徴とする歯列矯正ブラケット装置。
【請求項７５】
前記アーチワイヤーは、窪部分と交互に配置された外出部分を含んでおり、該外出部分は、ユーザの歯に取り付けられたときに歯の外側アーケードに沿うことを特徴とする請求項７６記載の歯列矯正ブラケット装置。
【請求項７６】
前記ブラケットは、前記アーチワイヤーを延び出させるための開口部を含んだ側部をさらに含んでいることを特徴とする請求項７４または７５記載の歯列矯正ブラケット装置。
【請求項７７】
前記ブラケットに選択的に挿入される少なくとも一つの挿入体をさらに含んでおり、前記側部の開口部の幅を減少させていることを特徴とする請求項７６記載の歯列矯正ブラケット装置。
【請求項７８】
請求項１から３７のいずれか一項に記載の歯列矯正ブラケットを含んだ歯列矯正キット。
【請求項７９】
請求項３８から７７のいずれか一項に記載の歯列矯正ブラケット装置を含んだ歯列矯正キット。
【請求項８０】
請求項１から３７のいずれか一項に記載の歯列矯正ブラケットを製造する方法。
【請求項８１】
請求項３８から７７のいずれか一項に記載の歯列矯正ブラケット装置を製造する方法。
【請求項８２】
請求項４０から７７のいずれか一項に記載の歯列矯正ブラケット装置を、人間の患者の歯に適用することで人間の患者の歯の噛み合わせを治療する方法。
【国際調査報告】
2013520249.tif 000034
2013520249.tif 000035
2013520249.tif 000036
2013520249.tif 000037